(57)【特許請求の範囲】
【請求項１】
光ビームに対して透明な保護層を少なくとも有する記録媒体に対し当該保護層を透過させて前記光ビームを照射する光ピックアップにおいて、
前記光ビームを射出する射出手段と、
前記光ビームの前記記録媒体からの反射光に非点収差を発生させる非点収差発生手段、前記非点収差を有する前記反射光を受光し、受光信号を生成する受光手段、及び前記受光信号に基づいて前記保護層の特性に起因して前記反射光に発生している球面収差を示すと共に極性を有する球面エラー信号を生成するエラー信号生成手段を有する生成手段と、
前記生成された球面エラー信号に基づいて前記球面収差を補償する補償手段と、
を備え、
前記受光手段は、当該受光手段の中央部を占める第１副受光手段と当該第１副受光手段の周辺部を占める第２副受光手段とに分割されており、当該第１副受光手段は、前記非点収差を有する前記反射光の前記受光手段上における照射強度分布の、前記保護層の特性に起因した変化に対応した広さを有すると共に、当該第１副受光手段の中心を夫々通って前記照射強度分布に対応した方向を有する複数の分割線により複数の第１部分受光手段に分割されており、かつ前記第２副受光手段は各前記分割線により複数の第２部分受光手段に分割されており、
前記エラー信号生成手段は、各前記第１部分受光手段のうち前記照射強度分布に対応した方向である照射強度分布方向に対向する複数の前記第１部分受光手段である第１分布方向受光手段から夫々出力される前記受光信号と各前記第２部分受光手段のうち前記照射強度分布方向に垂直な方向に対向する複数の前記第２部分受光手段である第２分布方向受光手段から夫々出力される前記受光信号との和信号と、各前記第１部分受光手段のうち前記第１分布方向受光手段以外の複数の前記第１部分受光手段から夫々出力される前記受光信号と各前記第２部分受光手段のうち前記第２分布方向受光手段以外の複数の前記第２部分受光手段から夫々出力される複数の前記受光信号との和信号との差信号を前記球面エラー信号として出力することを特徴とする光ピックアップ。
【請求項２】
請求項１に記載の光ピックアップにおいて、
前記エラー信号生成手段は、前記受光信号に基づいて非点収差法に基づくフォーカスエラー信号を更に出力することを特徴とする光ピックアップ。
【請求項３】
請求項２に記載の光ピックアップにおいて、
前記エラー信号生成手段は、各前記第１分布方向受光手段から夫々出力される前記受光信号と各前記第２部分受光手段のうち前記第２分布方向受光手段以外の複数の前記第２部分受光手段から夫々出力される前記受光信号との和信号と、各前記第１部分受光手段のうち前記第１分布方向受光手段以外の複数の前記第１部分受光手段から夫々出力される前記受光信号と各前記第２分布方向受光手段から夫々出力される前記受光信号との和信号との差信号を前記フォーカスエラー信号として出力することを特徴とする光ピックアップ。
【請求項４】
請求項１乃至請求項３のいずれか一項に記載の光ピックアップにおいて、
前記記録媒体に再生すべき情報が記録されていると共に、
前記エラー信号生成手段は、各前記第１部分受光手段から夫々出力される前記受光信号の和信号と各前記第２部分受光手段から夫々出力される前記受光信号の和信号との和信号を、前記情報に対応する検出信号として更に出力することを特徴とする光ピックアップ。
【請求項５】
請求項１乃至請求項４のいずれか一項に記載の光ピックアップにおいて、
前記第１副受光手段の形状が円形であることを特徴とする光ピックアップ。
【請求項６】
請求項１乃至請求項４のいずれか一項に記載の光ピックアップにおいて、
前記第１副受光手段の形状が矩形であることを特徴とする光ピックアップ。
【請求項７】
請求項１乃至請求項４のいずれか一項に記載の光ピックアップにおいて、
前記第１副受光手段の形状が八角形であることを特徴とする光ピックアップ。
【請求項８】
請求項４に記載の光ピックアップと、
前記フォーカスエラー信号に基づいて前記光ビームの焦点位置を制御するフォーカスサーボ手段と、
前記検出信号に基づいて前記情報を再生する再生手段と、
を備えることを特徴とする情報再生装置。
【請求項９】
請求項４に記載の光ピックアップと、
前記フォーカスエラー信号に基づいて前記光ビームの焦点位置を制御するフォーカスサーボ手段と、
前記検出信号に基づいて前記情報を再生し、再生信号を出力する再生手段と、
前記出力された再生信号及び前記記録媒体に記録すべき記録情報に基づいて前記光ビームを制御し、前記情報記録面に当該記録情報を記録する記録手段と、
を備えることを特徴とする情報記録装置。
【発明の詳細な説明】
【０００１】
【発明の属する技術分野】
本発明は、記録媒体に対して光学的に情報を記録再生する光ピックアップ並びに当該光ピックアップを含む情報再生装置及び情報記録装置の技術分野に属し、より詳細には、当該記録媒体における保護層の厚さの変化に起因して発生する球面収差を補償しつつ情報の記録再生を行う光ピックアップ並びに当該光ピックアップを含む情報再生装置及び情報記録装置の技術分野に属する。
【０００２】
【従来の技術】
近年、いわゆるＤＶＤ（従来のＣＤ（Ｃｏｍｐａｃｔ  Ｄｉｓｋ）に比して約７倍に記録容量を高めた光ディスク）に代表されるように、記録容量を高めた光学的情報記録媒体に関する研究開発が盛んである。
【０００３】
ここで、当該高記録密度の情報記録媒体に対して光学的に情報を記録再生する場合には、当該記録再生用の光ビームを情報記録媒体の情報記録面上に極微少に絞り込む必要があり、このためには高いＮＡ（開口率）を有する対物レンズを用いて当該絞り込みを行う必要がある。
【０００４】
一方、このような対物レンズを用いて光ビームを当該情報記録面に集光する場合には、当該光ビームを情報記録媒体における透明な保護層内を透過させる必要があることに起因して当該光ビームの情報記録面からの反射光内に球面収差が発生することとなる。
【０００５】
ここで、例えば従来のＣＤ等においては、情報の記録密度がそれほど高くなく読み取るべき情報ピットもそれほど小さくなかったことにより当該発生する球面収差も無視し得たが、上述したような情報の記録密度の高い情報記録媒体では、上述した対物レンズの高ＮＡ化とも合間って、保護層の厚みが異なる場合、保護層を光ビームが通過することにより発生する球面収差の量も無視できない程度の大きさとなる。
【０００６】
そこで、上記球面収差を補償するための方法として、例えば、情報記録媒体に照射する前の光ビームに対して、液晶パネルにより当該発生している球面収差を補償するための位相差を予め与えることにより当該球面収差を打ち消す方法や、対物レンズを二つの独立したレンズを用いて構成し、当該二つのレンズ間の間隙を制御することにより発生している球面収差を補償する方法等が用いられていた。
【０００７】
また、当該球面収差を検出する方法としては、当該光ビームの反射光に基づいて生成されたＲＦ（Ｒａｄｉｏ  Ｆｒｅｑｕｅｎｃｙ）信号の振幅を監視することで、当該振幅が最大となる点を球面収差が補償された点であるとしてこれを検出し、上記液晶パネルへの印加電圧値又はレンズ間の間隙を当該振幅が最大となるように制御することで当該球面収差の補償を行っていた。
【０００８】
【発明が解決しようとする課題】
しかしながら、上述したＲＦ信号の振幅の最大値を求めて球面収差を補償する方法によると、所定間隔のタイミング毎に当該ＲＦ信号を監視してその振幅の最大値を見つけ出す必要があるため、補償動作を高速化することができないという問題点がある。
【０００９】
この問題点は、例えば、製造上の誤差により上記保護層の厚さが一の情報記録媒体内の部分毎に異なっている場合においては、球面収差の補償動作が情報記録媒体の移動による当該球面収差の変化の速度に追随できない場合があるという問題点に繋がるものである。
【００１０】
一方、一の情報記録媒体内の保護層の厚さは当該情報記録媒体内で一定であるが、その厚さ自体が本来の厚さからずれている場合であっても、発生している球面収差の補償が迅速にできないという問題点に繋がる。
【００１１】
また、上述のＲＦ信号の振幅最大値から球面収差を検出する方法では、当該球面収差を示す信号に極性がないため、球面収差の補正の極性（例えば、液晶パネルによる補償の場合には、現在発生している球面収差を補償するためには液晶パネルに印加する電圧値を上昇させればよいのか低減すればよいのかという極性）が判定できず、この場合には、例えばＳ字型カーブを有するフォーカスエラー信号を用いたフォーカスサーボ制御のようないわゆるクローズドループを形成することによる迅速且つ正確な補償制御ができないという問題点もあった。
【００１２】
そこで、本発明は、上記の各問題点に鑑みて為されたもので、その課題は、保護層の厚さに代表される当該保護層の特性が、一の情報記録媒体内又は複数の情報記録媒体間で変化することにより反射光に発生する球面収差が変化しても、当該球面収差の量及び極性を正確且つ即時に把握してこれを補償し、記録媒体に対して正確に情報を記録再生することが可能な光ピックアップ並びに当該光ピックアップを備えた情報再生装置及び情報記録装置を提供することにある。
【００１３】
【課題を解決するための手段】
上記の課題を解決するために、請求項１に記載の発明は、光ビームに対して透明な保護層を少なくとも有する記録媒体に対し当該保護層を透過させて前記光ビームを照射する光ピックアップにおいて、前記光ビームを射出する射出手段と、前記光ビームの前記記録媒体からの反射光に非点収差を発生させる非点収差発生手段、前記非点収差を有する前記反射光を受光し、受光信号を生成する受光手段、及び前記受光信号に基づいて前記保護層の特性に起因して前記反射光に発生している球面収差を示すと共に極性を有する球面エラー信号を生成するエラー信号生成手段を有する生成手段と、前記生成された球面エラー信号に基づいて前記球面収差を補償する補償手段とを備え、前記受光手段は、当該受光手段の中央部を占める第１副受光手段と当該第１副受光手段の周辺部を占める第２副受光手段とに分割されており、当該第１副受光手段は、前記非点収差を有する前記反射光の前記受光手段上における照射強度分布の、前記保護層の特性に起因した変化に対応した広さを有すると共に、当該第１副受光手段の中心を夫々通って前記照射強度分布に対応した方向を有する複数の分割線により複数の第１部分受光手段に分割されており、かつ前記第２副受光手段は各前記分割線により複数の第２部分受光手段に分割されており、前記エラー信号生成手段は、各前記第１部分受光手段のうち前記照射強度分布に対応した方向である照射強度分布方向に対向する複数の前記第１部分受光手段である第１分布方向受光手段から夫々出力される前記受光信号と各前記第２部分受光手段のうち前記照射強度分布方向に垂直な方向に対向する複数の前記第２部分受光手段である第２分布方向受光手段から夫々出力される前記受光信号との和信号と、各前記第１部分受光手段のうち前記第１分布方向受光手段以外の複数の前記第１部分受光手段から夫々出力される前記受光信号と各前記第２部分受光手段のうち前記第２分布方向受光手段以外の複数の前記第２部分受光手段から夫々出力される複数の前記受光信号との和信号との差信号を前記球面エラー信号として出力することを特徴とする。
【００１４】
したがって、球面収差を示すと共に極性を有する球面エラー信号が生成されるので、反射光に発生している球面収差の量及び極性を正確且つ即時に把握してこれを補償することができる。
【００１５】
また、非点収差が与えられた反射光を受光して球面エラー信号を生成するので、反射光に発生している球面収差の量及び極性を正確且つ即時に把握してこれを補償することができる。
【００１６】
また、第１副受光手段が反射光の受光手段上における照度強度分布の保護層の特性に起因した変化に対応した広さを有するので、各副受光手段から出力される各受光信号の夫々が、保護層の特性の変化に伴う球面収差の変化に対応して変化することとなり、当該各受光信号に基づいて反射光に含まれている球面収差の量及び極性を正確に検出することができる。
【００１７】
さらに、第１副受光手段及び第２副受光手段が当該照射強度分布に対応した形状の分割線により夫々複数の第１部分受光手段と複数の第２部分受光手段とに分割されているので、各部分受光手段から出力される各受光信号の夫々が保護層の特性の変化に伴う球面収差の変化に対応して変化することとなり、当該各受光信号に基づいて反射光に含まれている球面収差の量及び極性を正確に検出することができる。
【００１８】
また、各第１分布方向受光手段から夫々出力される受光信号と各第２分布方向受光手段から夫々出力される受光信号との和信号と、各第１部分受光手段のうち第１分布方向受光手段以外の複数の第１部分受光手段から夫々出力される受光信号と各第２部分受光手段のうち第２分布方向受光手段以外の複数の第２部分受光手段から出力される複数の受光信号との和信号との差信号を球面エラー信号として出力するので、反射光に発生している球面収差の量及び極性を的確に示す球面エラー信号を生成することができる。
【００１９】
上記の課題を解決するために、請求項２に記載の発明は、請求項１に記載の光ピックアップにおいて、前記エラー信号生成手段は、前記受光信号に基づいて非点収差法に基づくフォーカスエラー信号を更に出力することを特徴とする。
【００２０】
よって、非点収差発生手段を球面エラー信号の生成用とフォーカスエラー信号の生成用とで兼用できる。
【００２１】
上記の課題を解決するために、請求項３に記載の発明は、請求項２に記載の光ピックアップにおいて、前記エラー信号生成手段は、各前記第１分布方向受光手段から夫々出力される前記受光信号と各前記第２部分受光手段のうち前記第２分布方向受光手段以外の複数の前記第２部分受光手段から夫々出力される前記受光信号との和信号と、各前記第１部分受光手段のうち前記第１分布方向受光手段以外の複数の前記第１部分受光手段から夫々出力される前記受光信号と各前記第２分布方向受光手段から夫々出力される前記受光信号との和信号との差信号を前記フォーカスエラー信号として出力することを特徴とする。
【００２２】
よって、球面エラー信号を生成する受光手段によりフォーカスエラー信号をも生成することができる。
【００２３】
上記の課題を解決するために、請求項４に記載の発明は、請求項１乃至請求項３のいずれか一項に記載の光ピックアップにおいて、前記記録媒体に再生すべき情報が記録されていると共に、前記エラー信号生成手段は、各前記第１部分受光手段から夫々出力される前記受光信号の和信号と各前記第２部分受光手段から夫々出力される前記受光信号の和信号との和信号を、前記情報に対応する検出信号として更に出力することを特徴とする。
【００２４】
よって、球面エラー信号を生成する受光手段により記録されている情報に対応する検出信号をも生成することができる。
【００２５】
上記の課題を解決するために、請求項５に記載の発明は、請求項１乃至請求項４のいずれか一項に記載の光ピックアップにおいて、前記第１副受光手段の形状が円形であることを特徴とする。
【００２６】
よって、光ビームにおけるビーム形状及びその照射強度分布に対応してより正確に球面収差の量及び極性を検出することができる。
【００２７】
上記の課題を解決するために、請求項６に記載の発明は、請求項１乃至請求項４のいずれか一項に記載の光ピックアップにおいて、前記第１副受光手段の形状が矩形であることを特徴とする。
【００２８】
よって、第１副受光手段及び第２副受光手段を簡易に形成することができる。
【００２９】
上記の課題を解決するために、請求項７に記載の発明は、請求項１乃至請求項４のいずれか一項に記載の光ピックアップにおいて、前記第１副受光手段の形状が八角形であることを特徴とする。
【００３０】
よって、光ビームにおけるビーム形状及びその照射強度分布に対応して正確に球面収差を検出することができると共に、第１副受光手段及び第２副受光手段を簡易に形成することができる。
【００３１】
上記の課題を解決するために、請求項８に記載の発明は、請求項４に記載の光ピックアップと、前記フォーカスエラー信号に基づいて前記光ビームの焦点位置を制御するフォーカスサーボ手段と、前記検出信号に基づいて前記情報を再生する再生手段と、を備えることを特徴とする。
【００３２】
よって、保護層の特性に起因して反射光に発生している球面収差を的確に補償して正確に情報を再生することができる。
【００３３】
上記の課題を解決するために、請求項９に記載の発明は、請求項４に記載の光ピックアップと、前記フォーカスエラー信号に基づいて前記光ビームの焦点位置を制御するフォーカスサーボ手段と、前記検出信号に基づいて前記情報を再生し、再生信号を出力する再生手段と、前記出力された再生信号及び前記記録媒体に記録すべき記録情報に基づいて前記光ビームを制御し、前記情報記録面に当該記録情報を記録する記録手段と、を備えることを特徴とする。
【００３４】
よって、保護層の特性に起因して反射光に発生している球面収差を的確に補償して正確に情報を記録することができる。
【００３９】
【発明の実施の形態】
次に、本発明に好適な実施の形態について説明する。
【００４０】
（Ｉ）本発明の原理
始めに、実施形態の具体的な説明の前に、本発明の原理について説明する。
【００４１】
今、光ピックアップを設計する際に考慮されていた保護層（光ディスクにおける情報記録面を保護するための、光ビームに対して透明な保護層）における厚さ又は屈折率が実際の光ディスクにおける保護層の厚さ又は屈折率と異なる場合、情報の記録再生用の光ビームが当該実際の保護層を通過すると、その光ビームに対していわゆる球面収差が発生する。そして、記録媒体としての光ディスクから反射されると共に、当該反射の前後で実際の保護層を通過することにより上記球面収差が発生した反射光に対して当該反射後に非点収差を与えると、当該反射光のディテクタ上における照射強度分布の形状が上記保護層の厚さ又は屈折率の変化（すなわち、当該保護層の通過に伴って光ビームに発生する球面収差の量及び極性の変化）に対応して変化する。
【００４２】
本発明では、このことを利用して当該球面収差の量及び極性を示す球面エラー信号を生成し、当該生成された球面エラー信号を用いて当該球面収差を補償する。
【００４３】
次に、より具体的に本発明の原理について説明する。
【００４４】
先ず、当該原理の説明のために用いる光学系の構成について、図１を用いて説明する。
【００４５】
図１に示すように、原理説明のための光学系Ｓは、記録再生用の光ビームＢを射出する射出手段としてのレーザダイオード８と、射出された光ビームＢを反射する偏向ビームスプリッタ４と、反射された光ビームＢを平行光に変換するコリメータレンズ３と、平行光となった光ビームＢの偏波面及び当該光ビームＢの光ディスク１からの反射光の偏波面を夫々回転させるλ／４板４５と、光ビームＢを光ディスク１内の情報記録面に集光する対物レンズ２と、光ビームＢに対して透明な保護層１ａを有する記録媒体としての光ディスク１と、光ディスク１により反射されて偏向面が回転することにより、対物レンズ２、コリメータレンズ３及び偏向ビームスプリッタ４を透過した光ビームＢをディテクタ７上に集光する集光レンズ５と、集光された光ビームＢに対して非点収差を発生させる生成手段及び非点収差発生手段としてのシリンドリカルレンズ６と、非点収差が与えられた光ビームＢを受光する受光手段としてのディテクタ７と、により構成されている。
【００４６】
この構成において、光ビームＢは、レーザダイオード８から射出されると、偏向ビームスプリッタ４、コリメータレンズ３、λ／４板４５、対物レンズ２を介して光ディスク１に照射される。そして、照射された光ビームＢは光ディスク１の保護層１ａを通過し、その情報記録面１ｂにより反射された後に再び保護層１ａを通過し、その後、対物レンズ２、λ／４板４５、コリメータレンズ３、偏向ビームスプリッタ４、集光レンズ５及びシリンドリカルレンズ６を介してディテクタ７上に照射される。
【００４７】
次に、このような構成を有する光学系Ｓにおいて、保護層１ａの厚さｔを変化させたとき（すなわち、当該保護層１ａを通過することにより光ビームＢに発生する球面収差の量及び極性を変化させたとき）、ディテクタ７上において、光ビームＢの照射強度分布が情報記録面１ｂ上で光ビームＢがフォーカス状態のときにどのように変化するかについて、図２を用いて説明する。
【００４８】
なお、図２に示す（ａ）乃至（ｅ）の各図は、一辺の長さが０．１６ｍｍの正方形であるディテクタ７上における光ビームＢの照射強度分布が保護層１ａの厚さｔ（単位は、ｍｍ）を変化させたときにどのように変るかを、保護層１ａの厚さを０．７ｍｍから０．５ｍｍに変化させた場合について模式的に示したものである。ここで、各図においては、黒点が密集している領域ほど照射強度が強いことを示している。
【００４９】
また、図２においては、保護層１ａの厚さｔ以外のパラメータは一定とされている。更に、厚さｔの理想値は、一般の光ディスク等で用いられている値である０．６ｍｍとされており、この理想値を厚さｔとする光ディスク１により発生する球面収差が、当該球面収差を補償する際の基準値（すなわち、当該基準値を有する球面収差を最適に補償できるように、対物レンズ２の形状、コリメータレンズ３の位置（対物レンズ２とコリメータレンズ３との距離）等が設定される値）とされる。
【００５０】
図２（ａ）乃至（ｅ）から明らかなように、保護層１ａの厚さを変化させると、ディテクタ７上の光ビームＢの反射光の照射強度分布は一定の法則を持って変化する。
【００５１】
すなわち、厚さｔが理想値よりも厚くなるに従って（すなわち、保護層１ａにより発生される球面収差の量が基準値から多くなるに従って）、照射強度分布全体が図２中左上方向と右下方向に対称的に広がると共に、ディテクタ７の中央付近に図２中左下方向と右上方向に伸びる照射強度が強い領域が現れる（図２（ａ）及び（ｂ）参照）。
【００５２】
一方、厚さｔが理想値よりも薄くなるに従って（すなわち、保護層１ａにより発生される球面収差の量が基準値から少なくなるに従って）、照射強度分布全体が図２中右上方向と左下方向に対称的に広がると共に、ディテクタ７の中央付近に図２中右下方向と左上方向に伸びる照射強度が強い領域が現れる（図２（ｄ）及び（ｅ）参照）。
【００５３】
また、厚さｔが理想値であるときは、上述したような照射強度分布の広がりは見られず、ほぼ円形の照射強度分布が得られる（図２（ｃ）参照。）
そこで、本発明では、この照射強度分布の変化に着目し、各照射強度分布の形状の変化（特に中央部分の照射強度が強くなる領域の広さ及び当該照射強度分布の変化の方向）に対応させて、ディテクタ７を図３に示すような部分ディテクタ７ａから７ｈに分割し、夫々の部分ディテクタからの出力信号に基づいて球面収差を示すと共に正又は負の極性を有する球面エラー信号を得、当該球面エラー信号に基づいてクローズドループを含むサーボ系により当該球面収差を補償することとしている。
【００５４】
なお、このとき、部分ディテクタ７ｅ乃至７ｈを合わせた領域の広さは、上記照射強度分布における中央部の照射強度が強くなる領域の広さとほぼ等しくなるように設定される。
【００５５】
本発明の原理についてより具体的には、図２（ａ）及び（ｂ）に示す場合には、図３に示すディテクタ７において、部分ディテクタ７ｅ及び７ｇの出力信号レベルは部分ディテクタ７ｆ及び７ｈの出力信号レベルよりも高くなると共に、部分ディテクタ７ｄ及び７ｂの出力信号レベルは部分ディテクタ７ａ及び７ｃの出力信号レベルよりも高くなる。
【００５６】
一方で、図２（ｄ）及び（ｅ）に示す場合には、図３に示すディテクタ７において、部分ディテクタ７ｅ及び７ｇの出力信号レベルは部分ディテクタ７ｆ及び７ｈの出力信号レベルよりも低くなると共に、部分ディテクタ７ｄ及び７ｂの出力信号レベルは部分ディテクタ７ａ及び７ｃの出力信号レベルよりも低くなる。
【００５７】
更に、図２（ｃ）に示す場合には、部分ディテクタ７ａ乃至７ｄの出力信号はほぼ零となると共に、部分ディテクタ７ｅ乃至７ｈの出力信号は相互にほぼ等しい値となる。
【００５８】
そして、本発明では、以下の式により、球面収差の量及び極性を示す球面エラー信号Ｓｋｅ（以下、単に球面エラー信号Ｓｋｅと称する。）を生成する。すなわち、
【数１】
0003574747.tif 000002
なお、式（１）において、「７ａ」は部分ディテクタ７ａからの出力信号の出力値を、「７ｂ」は部分ディテクタ７ｂからの出力信号の出力値を、「７ｃ」は部分ディテクタ７ｃからの出力信号の出力値を、「７ｄ」は部分ディテクタ７ｄからの出力信号の出力値を、「７ｅ」は部分ディテクタ７ｅからの出力信号の出力値を、「７ｆ」は部分ディテクタ７ｆからの出力信号の出力値を、「７ｇ」は部分ディテクタ７ｇからの出力信号の出力値を、「７ｈ」は部分ディテクタ７ｈからの出力信号の出力値を夫々示している。
【００５９】
このようにして球面エラー信号Ｓｋｅを生成すれば、図２（ａ）又は（ｂ）に示す場合には式（１）右辺第１項よりも右辺第２項の方が大きくなり、結果として負の球面エラー信号Ｓｋｅが生成される。これに対し、図２（ｄ）又は（ｅ）に示す場合には式（１）右辺第２項よりも右辺第１項の方が大きくなり、結果として正の球面エラー信号Ｓｋｅが生成される。
【００６０】
更に、図２（ｃ）の場合には式（１）右辺第２項と右辺第１項が等しくなり、結果としてゼロレベルの球面エラー信号Ｓｋｅが生成される。
【００６１】
従って、これらにより、保護層１ａの厚さｔがその理想値（０．６ｍｍ）よりも厚い場合は負の値を有する球面エラー信号Ｓｋｅが生成され、当該理想値よりも薄い場合は正の値を有する球面エラー信号Ｓｋｅが生成され、当該理想値に等しいときはゼロレベルの球面エラー信号Ｓｋｅが生成されるので、当該厚さｔの変動に起因する球面収差を補償する際の極性が判定できるのである。
【００６２】
また、当該補償の量については、図２及び図３から明らかなように、図２（ａ）の場合と図２（ｂ）の場合とで球面エラー信号Ｓｋｅの絶対値を比較すると、図２（ｂ）に示す場合の方が照射硬度分布内の各領域の濃淡の差が小さいことから、図２（ｂ）の場合の方が球面エラー信号Ｓｋｅの絶対値が小さくなる。更に、図２（ｄ）の場合と図２（ｅ）の場合とで球面エラー信号Ｓｋｅの絶対値を比較すると、図２（ｄ）に示す場合の方が照射硬度分布内の各領域の濃淡の差が小さいことから、図２（ｄ）の場合の方が球面エラー信号Ｓｋｅの絶対値が小さくなる。
【００６３】
つまり、球面エラー信号Ｓｋｅの絶対値は、実際の保護層１ａの厚さｔとその理想値との差が大きいほど大きくなることとなるので、球面エラー信号Ｓｋｅの絶対値が大きいほど必要な補償量も大きいと判断することができる。
【００６４】
以上述べた原理により、本発明によれば、球面収差の量及び極性を示す球面エラー信号Ｓｋｅがいわゆる非点収差法によるフォーカスエラー信号のようにＳ字型カーブを有することとなるので、当該球面エラー信号Ｓｋｅを用いれば、いわゆるクローズドループを有するサーボ制御系により迅速且つ正確に球面収差を補償することが可能となる。
【００６５】
なお、非点収差を与えられた光ビームＢの反射光のディテクタ７上の照射強度分布が、保護層１ａの厚さｔの変化により図２に示すように変化する理由は、本発明では、当該保護層１ａを通過することにより光ビームＢに発生した球面収差（この球面収差は、光ビームＢの光軸を対称軸として軸対称の分布形状を有し、その厚さｔにより収差量が異なる。）にシリンドリカルレンズ６により非点収差が重畳されることとなるが、このことに起因して、保護層１ａの厚さｔの変化により球面収差の極性及び量が変化すると、図２各図に示すような厚さｔに対応した照射強度分布の形状の変化が現れるものである。
【００６６】
（ＩＩ）実施形態
次に、本発明の実施形態について、具体的に図４乃至図７を用いて説明する。
【００６７】
なお、以下に説明する実施形態は、本発明により球面収差を補償すると共に非点収差法によるフォーカスサーボ制御を行いつつ光ディスク１上に記録された情報を再生する情報再生装置に対して本発明を適用した場合の実施形態である。
【００６８】
また、図４は実施形態に係る情報再生装置の概要を示すブロック図であり、図５は実施形態のディテクタの形状を示す平面図であり、図６は球面エラー信号Ｓｋｅを生成すると同時に非点収差法によるフォーカスエラー信号等も生成する信号処理部の概要構成を示すブロック図であり、図７は球面エラー信号Ｓｋｅの波形の例を示す図である。
【００６９】
更に、実施形態における光ディスク１には、再生すべき情報が予め記録されているものとする。
【００７０】
図４に示すように、実施形態の情報再生装置Ｐは、図１に示す原理説明のための光学系Ｓの構成に加えて、球面収差補償用の補償手段としての液晶パネル９と、フォーカスサーボ制御用のフォーカスサーボ手段としてのアクチュエータ１０と、生成手段及びエラー信号生成手段としての信号処理部１１と、再生手段としての再生部１２と、アンプ１３と、補償手段としてのドライバ１４と、アンプ１５と、フォーカスサーボ手段としてのドライバ１６と、により構成される。
【００７１】
ここで、液晶パネル９は、公知の技術により光ビームＢに対して球面収差を補償するための位相差を与える透過型の液晶パネルである。
【００７２】
また、ディテクタ７は、上述した原理に基づいて、図５に示すように、第２副受光手段及び第２部分受光手段としての部分ディテクタ７ａ、７ｂ、７ｃ及び７ｄと、第１副受光手段及び第１部分受光手段としての部分ディテクタ７ｅ、７ｆ、７ｇ及び７ｈに分割されている。
【００７３】
このとき、上述のように、部分ディテクタ７ｅ乃至７ｈを合わせた領域の広さは、図２に示す照射強度分布における中央部の照射強度が強くなる領域の広さとほぼ等しくなるように設定されている。
【００７４】
更に、上述の構成のうち、光学系Ｓ、液晶パネル９、アクチュエータ１０により本発明の光ピックアップＰＵが形成されている。
【００７５】
なお、図４においては、本発明に係る部分のみを示したが、実際の情報再生装置Ｓには、この他に、光ビームＢの照射位置に対していわゆるトラッキングサーボ制御を施すトラッキングサーボ制御部や、情報再生装置Ｓの動作全体を制御するＣＰＵ、或いは、必要な情報を入力するための入力操作部等が含まれている。
【００７６】
次に、情報再生装置Ｐの動作について説明する。
【００７７】
図１に示した光学系Ｓの動作によりディテクタ７に含まれる各部分ディテクタから夫々出力された受光信号Ｓｐ（なお、図４においては、実際には八つある受光信号Ｓｐを、纏めて一の受光信号Ｓｐにより示している。）は、信号処理部１１に入力される。
【００７８】
そして、信号処理部１１は、上述した原理に基づく後述する処理により、上記球面エラー信号Ｓｋｅを生成してアンプ１３に出力すると共に、光ディスク１上に記録されている再生すべき情報に対応するＲＦ信号Ｓｒｆを後述する処理により生成して再生部１２に出力し、更に非点収差法に基づくフォーカスエラー信号Ｓｆｅを後述する処理により生成してアンプ１５に出力する。
【００７９】
これにより、再生部１２は、ＲＦ信号Ｓｒｆに基づいて当該光ディスク１に記録されている情報に対応する再生信号Ｓｐｕを生成して図示しない外部のスピーカ又はディスプレイ等に出力する。
【００８０】
また、アンプ１５は、入力されたフォーカスエラー信号Ｓｆｅを所定の増幅率で増幅し、増幅エラー信号Ｓａｆを生成してドライバ１６に出力する。
【００８１】
そして、ドライバ１６は、増幅エラー信号Ｓａｆに基づいて、フォーカスサーボ制御を行うべくアクチュエータ１０を駆動するための駆動信号Ｓｄｆを生成し、当該アクチュエータ１０に出力する。
【００８２】
これにより、アクチュエータ１０は、駆動信号Ｓｄｆに基づいて、対物レンズ２を光ビームＢの光軸（図４中一点鎖線で示す。）と平行な方向に駆動し、フォーカスエラー信号Ｓｆｅがゼロレベルとなるようにフォーカスサーボ制御を行う。
【００８３】
一方、アンプ１３は、入力された球面エラー信号Ｓｋｅを所定の増幅率で増幅し、増幅エラー信号Ｓａｋを生成してドライバ１４に出力する。
【００８４】
そして、ドライバ１４は、増幅エラー信号Ｓａｋに基づいて、球面エラー信号Ｓｋｅで示される量及び極性を有する球面収差を補償すべく液晶パネル９を駆動するための駆動信号Ｓｄｋを生成し、当該液晶パネル９に出力する。
【００８５】
これにより、液晶パネル９は、駆動信号Ｓｄｋに基づき、通過する光ビームＢに対して球面エラー信号Ｓｋｅがゼロレベルとなるような位相差を与え、発生している球面収差を補償する。
【００８６】
このとき、液晶パネル９は、駆動信号Ｓｄｋで示される電圧を当該液晶パネル９内の液晶層に印加し、これにより当該液晶層の配向性を変化させて屈性率を変えることにより必要な位相差を光ビームＢに対して与えることとなる。
【００８７】
次に、信号処理部１１の細部構成及び動作について、図６及び図７を用いて説明する。
【００８８】
図６に示すように、信号処理部１１は、加算器２０乃至２８と、減算器２９及び３０と、により構成されている。
【００８９】
このとき、加算器２０に対しては、部分ディテクタ７ａからの受光信号Ｓｐと部分ディテクタ７ｃからの受光信号Ｓｐとが入力されるように、当該部分ディテクタ７ａ及び部分ディテクタ７ｃが加算器２０に接続されている。
【００９０】
また、加算器２１に対しては、部分ディテクタ７ｄからの受光信号Ｓｐと部分ディテクタ７ｂからの受光信号Ｓｐとが入力されるように、当該部分ディテクタ７ｄ及び部分ディテクタ７ｂが加算器２１に接続されている。
【００９１】
更に、加算器２２に対しては、部分ディテクタ７ｅからの受光信号Ｓｐと部分ディテクタ７ｇからの受光信号Ｓｐとが入力されるように、当該部分ディテクタ７ｅ及び部分ディテクタ７ｇが加算器２２に接続されている。
【００９２】
次に、加算器２３に対しては、部分ディテクタ７ｈからの受光信号Ｓｐと部分ディテクタ７ｆからの受光信号Ｓｐとが入力されるように、当該部分ディテクタ７ｈ及び部分ディテクタ７ｆが加算器２３に接続されている。
【００９３】
また、加算器２４に対しては、加算器２０の出力信号と加算器２３の出力信号とが入力されるように、当該加算器２０及び２３が加算器２４に接続されている。
【００９４】
更に、加算器２５に対しては、加算器２１の出力信号と加算器２２の出力信号とが入力されるように、当該加算器２１及び２２が加算器２５に接続されている。
【００９５】
更にまた、加算器２６に対しては、加算器２０の出力信号と加算器２２の出力信号とが入力されるように、当該加算器２０及び２２が加算器２６に接続されている。
【００９６】
また、加算器２７に対しては、加算器２１の出力信号と加算器２３の出力信号とが入力されるように、当該加算器２１及び２３が加算器２７に接続されている。
【００９７】
そして、加算器２８に対しては、加算器２４の出力信号と加算器２５の出力信号とが入力されるように、当該加算器２４及び２５が加算器２８に接続されている。これにより、加算器２８からは、各部分ディテクタ７ａ乃至７ｈからの受光信号Ｓｐを全て加算した信号、すなわち、光ディスク１に記録されている情報に対応するＲＦ信号Ｓｒｆが出力されることとなる。
【００９８】
一方、減算器２９に対しては、加算器２４の出力信号が正端子に入力されると共に加算器２５の出力信号が負端子に入力されるように、当該加算器２４及び２５が減算器２９に接続されている。これにより、減算器２９からは、部分ディテクタ７ａ、７ｃ、７ｈ及び７ｆからの各受光信号Ｓｐの和信号から部分ディテクタ７ｂ、７ｄ、７ｅ及び７ｇからの各受光信号Ｓｐの和信号を減算した信号、すなわち、上述した式（１）に基づく球面エラー信号Ｓｋｅが出力されることとなる。
【００９９】
このときの球面エラー信号Ｓｋｅの波形について、図７を用いて説明すると、上記原理において説明したように、光ディスク１における保護層１ａの厚さｔの変化（上記理想値０．６ｍｍを中心とした変化）に伴って、略Ｓ字形の球面エラー信号Ｓｋｅが生成される。そして、このＳ字形の球面エラー信号Ｓｋｅを用いることにより、上述したようにいわゆるクローズドループを有するサーボ制御系により迅速且つ正確に球面収差を補償することが可能となるのである。
【０１００】
なお、図７に示す球面エラー信号Ｓｋｅは、保護層１ａの厚さｔが一の光ディスク１内の部分毎に異なっている場合においては、光ディスク１の回転に伴って図７に示す球面エラー信号Ｓｋｅの全体が出力されることとなるが、一の光ディスク１内の保護層１ａの厚さｔは当該光ディスク１内で一定であるが、その厚さｔ自体が本来の理想値からずれている場合には、図７に示す球面エラー信号Ｓｋｅのうち、一の厚さｔに対応する球面エラー信号Ｓｋｅのみが常に出力されることとなる。
【０１０１】
次に、減算器３０に対しては、加算器２６の出力信号が正端子に入力されると共に加算器２７の出力信号が負端子に入力されるように、当該加算器２６及び２７が減算器３０に接続されている。これにより、減算器３０からは、部分ディテクタ７ａ、７ｃ、７ｅ及び７ｇからの各受光信号Ｓｐの和信号から部分ディテクタ７ｂ、７ｄ、７ｈ及び７ｆからの各受光信号Ｓｐの和信号を減算した信号、すなわち、公知の非点収差法を用いたフォーカスエラー信号Ｓｆｅが出力されることとなる。その後は、上述したドライバ１６及びアクチュエータ１０の動作により、フォーカスエラー信号Ｓｆｅがゼロレベルとなるようにフォーカスサーボ制御が行なわれる。
【０１０２】
以上説明したように、実施形態の情報再生装置Ｓの動作によれば、光ビームＢの反射光に含まれる球面収差を示すと共に正又は負のいずれか一方の極性を有する球面エラー信号Ｓｋｅが生成されるので、当該球面収差の量及び極性を正確且つ即時に把握してこれを補償することができる。
【０１０３】
また、部分ディテクタ７ｅ、７ｆ、７ｇ及び７ｈを含む領域が光ビームＢの反射光のディテクタ７上における照度強度分布の保護層１ａの厚さｔの変化に起因した変化に対応する広さ（すなわち、当該照射範囲内の中央部の照射強度が強い部分を含むような広さ）を有し、且つ、各部分ディテクタが当該照射強度分布の変化に対応した形状を有しているので、各部分ディテクタから出力される八つの受光信号Ｓｐの夫々が保護層１ａの特性の変化に伴う球面収差の変化に対応して変化することとなり、当該八つの受光信号Ｓｐに基づいて光ビームＢの反射光に含まれている球面収差の量及び極性を正確に検出することができる。
【０１０４】
更に、上述した構成の信号処理部１１により球面エラー信号Ｓｋｅを生成するので、反射光に発生している球面収差の量及び極性を的確に示す球面エラー信号Ｓｋｅを生成することができる。
【０１０５】
また、球面収差を示す球面エラー信号Ｓｋｅを生成する信号処理部１１によりフォーカスエラー信号Ｓｆｅ及びＲＦ信号Ｓｒｆをも生成することができる。
【０１０６】
更にまた、部分ディテクタ７ｅ乃至７ｈにより形成される領域の形状が矩形であるので、ディテクタ７を簡易に形成することができる。
【０１０７】
また、保護層１ａの特性に起因して反射光に発生している球面収差を的確に補償して光ディスク１上の情報を正確に再生することができる。
【０１０８】
なお、上記した球面エラー信号Ｓｋｅについては、光ディスク１における情報記録面の光ビームＢの光軸に対する傾斜、対物レンズ２の瞳面における開口部内の光ビームＢの強度及び対物レンズ２の情報記録面に平行な方向の偏倚によっては影響を受けないことが実験的に確認されているが、光ビームＢの光軸の位置とディテクタ７の中心位置との間にずれが生じている場合には、球面エラー信号Ｓｋｅ全体のレベルが低下し、且つゼロクロス点もシフトすることが実験的に確認されている。
【０１０９】
（ＩＩＩ）変形形態
次に、本発明の変形形態について、図８及び図９を用いて説明する。
【０１１０】
なお、図９においては、図４と同様の構成部材については、同様の部材番号を付して細部の説明は省略する。
【０１１１】
先ず、ディテクタ７の分割形状について、図８（ａ）にディテクタ７’として示すように、部分ディテクタ７ｅ’乃至７ｈ’により構成される領域の形状を円形としても良い。
【０１１２】
この場合でも、部分ディテクタ７ｅ’乃至７ｈ’を含む領域は、光ビームＢの反射光のディテクタ７上における照度強度分布の保護層１ａの厚さｔの変化に起因した変化に対応する広さ（すなわち、当該照射範囲内の中央部の照射居度が強い部分を含むような広さ）とされる。
【０１１３】
この場合にも、上述の実施形態の効果と同様な効果が得られる他、部分ディテクタ７ｅ’乃至７ｈ’を含む領域の形状が円形であるので、光ビームＢにおけるビーム形状及びその照射強度分布に対応してより正確に球面収差の量及び極性を検出することができることとなる。
【０１１４】
また、ディテクタ７の分割形状について、図８（ｂ）にディテクタ７”として示すように、部分ディテクタ７ｅ”乃至７ｈ”により構成される領域の形状を八角形としても良い。
【０１１５】
この場合でも、図８（ａ）の場合と同様に、部分ディテクタ７ｅ”乃至７ｈ”を含む領域は、光ビームＢの反射光のディテクタ７上における照度強度分布の保護層１ａの厚さｔの変化に起因した変化に対応する広さとされる。
【０１１６】
この場合には、上述の実施形態の効果と同様な効果が得られる他、部分ディテクタ７ｅ”乃至７ｈ”を含む領域の形状が八角形であるので、光ビームＢにおけるビーム形状及びその照射強度分布に対応してより正確に球面収差の量及び極性を検出することができると共に、ディテクタ７”を簡易に形成することができる。
【０１１７】
また、上述した実施形態及び各変形形態は、本発明を情報再生装置Ｓに対して適用した場合の実施形態又は変形形態について説明したが、これ以外に、本発明は、光ディスク１に予め記録されているアドレス情報等の記録制御情報を検出し、当該検出した記録制御情報に基づいて当該光ディスク１に情報を記録するための情報記録装置に対して適用することもできる。
【０１１８】
すなわち、図９に示すように、図１に示す光学系Ｓと、図４に示す信号処理部１１、再生部１２、アンプ１３及び１５、ドライバ１４及び１６、液晶パネル９及びアクチュエータ１０とに加えて、再生部１２から出力される再生信号Ｓｐｕ（この再生信号Ｓｐｕが上記した記録制御情報を含んでいることとなる。）に基づいて記録制御を行う記録手段としてのＣＰＵ４１と、ＣＰＵ４１からの制御信号Ｓｃに基づいて外部から入力されている記録すべき記録信号Ｓｒを変調し、レーザダイオード８の出力値を当該記録信号Ｓｒに対応した値とするための変調信号Ｓｒｒを生成する記録手段としてのエンコーダ４０と、を備える情報記録装置Ｒに対しても本発明を適用することができる。
【０１１９】
この場合、レーザダイオード８の出力値（すなわち、光ビームＢの強度）が変調信号Ｓｒｒに基づいて強度変調され、当該強度変調された光ビームＢが上記記録制御情報に含まれている光ディスク１のアドレス情報に対応する位置に照射されることにより、当該照射位置に変調信号Ｓｒｒに対応した形状の情報ピットが形成されて記録信号Ｓｒが光ディスク１に記録されることとなる。
【０１２０】
この情報記録装置Ｒの動作によれば、球面収差が的確に補償されることにより記録制御情報を含む受光信号Ｓｐが正確に再生されるので、正確に記録すべき情報を光ディスク１上に記録することができる。
【０１２１】
更に、上述の実施形態及び各変形形態では、球面収差を補償する方法として液晶パネル９を用いた場合について説明したが、これ以外に、例えば、対物レンズを二つの独立したレンズを用いて構成し、当該二つのレンズ間の間隙を制御しすることにより発生している球面収差を補償する方法や、コリメータレンズ３を光ビームＢの光軸と平行な方向に移動することにより球面収差を補償する方法に対しても、本発明により得られた球面エラー信号Ｓｋｅを用いたクローズドループのサーボ制御を適用することにより、迅速且つ確実に球面収差を補償することができる。
【０１２２】
また、上述した実施形態及び変形形態においては、保護層１ａの厚さｔの変化に起因して発生する球面収差を検出してこれを補償する場合について説明したが、これ以外に、保護層１ａにおける屈折率のばらつき（一枚の光ディスク１内におけるばらつき又は複数の光ディスク１間におけるばらつき）に起因して発生する球面収差を検出してこれを補償する場合に、当該屈折率にばらつきがある時におけるディテクタ７上の光ビームＢの反射光の照射強度分布も当該ばらつきの量及び極性に応じ図２に示した場合に準じて変化するので、この場合にも本発明を適用して当該球面収差を検出し補償することが可能である。
【０１２３】
【発明の効果】
以上説明したように、請求項１に記載の発明によれば、球面収差を示すと共に極性を有する球面エラー信号が生成されるので、反射光に発生している球面収差の量及び極性を、正確且つ即時に把握してこれを補償することができる。
【０１２４】
従って、保護層の特性が変化したことにより反射光に発生する球面収差が変化しても、当該球面収差の量及び極性を正確且つ即時に把握してこれを補償し、記録媒体に対して正確に情報を記録再生することが可能になる。
【０１２５】
また、非点収差が与えられた反射光を受光して球面エラー信号を生成するので、反射光に発生している球面収差の量及び極性を正確且つ即時に把握してこれを補償することができる。
【０１２６】
また、第１副受光手段が反射光の受光手段上における照度強度分布の保護層の特性に起因した変化に対応した広さを有するので、各副受光手段から出力される各受光信号の夫々が、保護層の特性の変化に伴う球面収差の変化に対応して変化することとなり、当該各受光信号に基づいて反射光に含まれている球面収差の量及び極性を正確に検出することができる。
【０１２７】
また、第１副受光手段及び第２副受光手段が当該照射強度分布に対応した形状の分割線により夫々複数の第１部分受光手段と複数の第２部分受光手段とに分割されているので、各部分受光手段から出力される各受光信号の夫々が、保護層の特性の変化に伴う球面収差の変化に対応して変化することとなり、当該各受光信号に基づいて反射光に含まれている球面収差の量及び極性を正確に検出することができる。
【０１２８】
さらに、各第１分布方向受光手段から夫々出力される受光信号と各第２分布方向受光手段から夫々出力される受光信号との和信号と、各第１部分受光手段のうち第１分布方向受光手段以外の複数の第１部分受光手段から夫々出力される受光信号と各第２部分受光手段のうち第２分布方向受光手段以外の複数の第２部分受光手段から出力される複数の受光信号との和信号との差信号を球面エラー信号として出力するので、反射光に発生している球面収差の量及び極性を的確に示す球面エラー信号を生成することができる。
【０１２９】
請求項２に記載の発明によれば、請求項１に記載の発明の効果に加えて、非点収差発生手段を球面エラー信号の生成用とフォーカスエラー信号の生成用とで兼用できるので、光ピックアップ自体を小型化しつつ球面エラー信号とフォーカスエラー信号とを生成することができる。
【０１３０】
請求項３に記載の発明によれば、請求項２に記載の発明の効果に加えて、各第１分布方向受光手段から夫々出力される受光信号と各第２部分受光手段のうち第２分布方向受光手段以外の複数の第２部分受光手段から夫々出力される受光信号との和信号と、各第１部分受光手段のうち第１分布方向受光手段以外の複数の第１部分受光手段から夫々出力される受光信号と各第２分布方向受光手段から夫々出力される受光信号との和信号との差信号をフォーカスエラー信号として出力するので、球面エラー信号を生成する受光手段によりフォーカスエラー信号をも生成することができる。
【０１３１】
請求項４に記載の発明によれば、請求項１乃至請求項３のいずれか一項に記載の発明の効果に加えて、各第１部分受光手段から夫々出力される受光信号の和信号と各第２部分受光手段から夫々出力される受光信号の和信号との和信号を検出信号として更に出力するので、球面エラー信号を生成する受光手段により記録されている情報に対応する検出信号をも生成することができる。
【０１３２】
請求項５に記載の発明によれば、請求項１乃至請求項４のいずれか一項に記載の発明の効果に加えて、第１副受光手段の形状が円形であるので、光ビームにおけるビーム形状及びその照射強度分布に対応してより正確に球面収差の量及び極性を検出することができる。
【０１３３】
請求項６に記載の発明によれば、請求項１乃至請求項４のいずれか一項に記載の発明の効果に加えて、第１副受光手段の形状が矩形であるので、第１副受光手段及び第２副受光手段を簡易に形成することができる。
【０１３４】
請求項７に記載の発明によれば、請求項１乃至請求項４のいずれか一項に記載の発明の効果に加えて、第１副受光手段の形状が八角形であるので、光ビームにおけるビーム形状及びその照射強度分布に対応して正確に球面収差を検出することができると共に、第１副受光手段及び第２副受光手段を簡易に形成することができる。
【０１３５】
請求項８に記載の発明によれば、請求項４に記載の発明の効果に加えて、保護層の特性に起因して反射光に発生している球面収差を的確に補償して正確に情報を再生することができる。
【０１３６】
請求項９に記載の発明によれば、請求項４に記載の発明の効果に加えて、保護層の特性に起因して反射光に発生している球面収差を的確に補償して正確に情報を記録することができる。
【図面の簡単な説明】
【図１】本発明の原理を示す光学系の概要構成を示すブロック図である。
【図２】本発明の原理を説明する図であり、（ａ）は保護層の厚さが０．７ｍｍのときのディテクタ上における光ビームの照射強度分布を示す模式図であり、（ｂ）は保護層の厚さが０．６５ｍｍのときのディテクタ上における光ビームの照射強度分布を示す模式図であり、（ｃ）は保護層の厚さが０．６ｍｍのときのディテクタ上における光ビームの照射強度分布を示す模式図であり、（ｄ）は保護層の厚さが０．５５ｍｍのときのディテクタ上における光ビームの照射強度分布を示す模式図であり、（ｅ）は保護層の厚さが０．５ｍｍのときのディテクタ上における光ビームの照射強度分布を示す模式図である。
【図３】ディテクタの分割形状の例を示す平面図である。
【図４】実施形態の情報再生装置の概要構成を示すブロック図である。
【図５】実施形態のディテクタの形状を示す平面図である。
【図６】信号処理部の細部構成を示すブロック図である。
【図７】球面収差を示す球面エラー信号の波形例を示す図である。
【図８】ディテクタの分割形状の変形形態を示す平面図であり、（ａ）は第１の変形形態を示す平面図であり、（ｂ）は第２の変形形態を示す平面図である。
【図９】変形形態の情報記録装置の概要構成を示すブロック図である。
【符号の説明】
１…光ディスク
１ａ…保護層
１ｂ…情報記録面
２…対物レンズ
３…コリメータレンズ
４…偏向ビームスプリッタ
５…集光レンズ
６…シリンドリカルレンズ
７、７’、７”…ディテクタ
７ａ、７ｂ、７ｃ、７ｄ、７ｅ、７ｆ、７ｇ、７ｈ、７ａ’、７ｂ’、７ｃ’、７ｄ’、７ｅ’、７ｆ’、７ｇ’、７ｈ’、７ａ”、７ｂ”、７ｃ”、７ｄ”、７ｅ”、７ｆ”、７ｇ”、７ｈ”…部分ディテクタ
８…レーザダイオード
９…液晶パネル
１０…アクチュエータ
１１…信号処理部
１２…再生部
１３、１５…アンプ
１４、１６…ドライバ
２０、２１、２２、２３、２４、２５、２６、２７、２８…加算器
２９、３０…減算器
４０…エンコーダ
４１…ＣＰＵ
４５…λ／４板
Ｓｄｆ、Ｓｄｋ…駆動信号
Ｓａｆ、Ｓａｋ…増幅エラー信号
Ｓｐ…受光信号
Ｓｆｅ…フォーカスエラー信号
Ｓｋｅ…球面エラー信号
Ｓｒｆ…ＲＦ信号
Ｓｐｕ…再生信号
Ｓｃ…制御信号
Ｓｒ…記録信号
Ｓｒｒ…変調信号
Ｓ…光学系
Ｒ…情報記録装置
Ｐ…情報再生装置
ＰＵ…光ピックアップ
【図１】
0003574747.tif 000003
【図２】
0003574747.tif 000004
【図３】
0003574747.tif 000005
【図４】
0003574747.tif 000006
【図５】
0003574747.tif 000007
【図６】
0003574747.tif 000008
【図７】
0003574747.tif 000009
【図８】
0003574747.tif 000010
【図９】
0003574747.tif 000011